(57)【特許請求の範囲】
【請求項１】
電源装置からの電力供給を受けて動作する電子機器であって、
前記電源装置からの電圧を計測する電圧計と、
前記電源装置から供給される前記電圧の変化のパターンが最初に低い電圧から段階的に電圧を上昇させる第１要素を備えた合格パターンであると判断した場合に前記電源装置からの電力供給を許可し、前記電圧が前記合格パターンの変化をしていないと判断した場合に前記電源装置からの電力の利用を制限する制御部と、
を備える電子機器。
【請求項２】
前記電源装置からの電圧を一定にする安定化回路を前記電圧計の下流側に備える、
請求項１に記載の電子機器。
【請求項３】
電子機器に電力を供給する電源装置であって、
供給する電力を最初に低い電圧から段階的に電圧を上昇させる第１要素を備えた合格パターンの電圧変化で供給する認証供給と、前記認証供給の後の通常供給とを行う電源装置。
【請求項４】
前記通常供給は、定電圧での電力供給である、
請求項３に記載の電源装置。
【発明の詳細な説明】
【技術分野】
【０００１】
この発明は、電子機器、及び電源装置に関する。
【背景技術】
【０００２】
電子機器と、当該電子機器を正常に動作させるための電力を供給することができない電源装置とが誤って接続されてしまうことを抑制する技術の研究や開発が行われている。
【０００３】
これに関し、充電装置と接続されたことを充電装置検出部により検出し、充電装置から充電用信号線を介して出力された出力電圧に含まれる、充電装置に対応したＩＤデータに基づいて、充電装置からの充電を許可するかＩＤ認証制御部により判断し、ＩＤ認証制御部が充電装置の接続を検出すると、充電装置からの出力電圧をＩＤ認証制御部に供給し、ＩＤ認証制御部が充電装置からの充電を許可すると判断した場合に、出力電圧を二次電池に充電制御部により供給する電子機器が知られている（特許文献１参照）。
【先行技術文献】
【特許文献】
【０００４】
【特許文献１】特開２００８−２２００５０号公報
【発明の概要】
【発明が解決しようとする課題】
【０００５】
本発明は、上記従来技術に鑑みてなされたものであり、より適切に接続相手と連携することができる電子機器、及び電源装置を提供する。
【課題を解決するための手段】
【０００６】
本発明の一態様は、電源装置からの電力供給を受けて動作する電子機器であって、前記電源装置からの電圧を計測する電圧計と、前記電源装置から定期的に行われる前記電圧の変化のパターンが合格パターンであると判断した場合に前記電源装置からの電力供給を許可し、前記電圧が前記合格パターンの変化をしていないと判断した場合に前記電源装置からの電力の利用を制限する制御部と、を備える電子機器である。
この構成により、電子機器は、電源装置からの電力供給を受けて動作し、電源装置からの電圧を計測し、電源装置から定期的に行われる電圧の変化のパターンが合格パターンであると判断した場合に電源装置からの電力供給を許可し、当該電圧が合格パターンの変化をしていないと判断した場合に電源装置からの電力の利用を制限する。これにより、電子機器は、より適切に接続相手と連携することができる。
また、本発明の他の態様は、電源装置からの電力供給を受けて動作する電子機器であって、前記電源装置からの電圧を計測する電圧計と、前記電源装置から供給される前記電圧の変化のパターンが最初に低い電圧から段階的に電圧を上昇させる第１要素を備えた合格パターンであると判断した場合に前記電源装置からの電力供給を許可し、前記電圧が前記合格パターンの変化をしていないと判断した場合に前記電源装置からの電力の利用を制限する制御部と、を備える電子機器である。
【０００７】
また、本発明の他の態様は、電子機器において、前記合格パターンは、最初に低い電圧から段階的に電圧を上昇させる第１要素を備える、構成が用いられてもよい。
この構成により、電子機器は、電源装置からの電圧を計測し、電源装置から定期的に行われる電圧の変化のパターンが、最初に低い電圧から段階的に電圧を上昇させる第１要素を備える合格パターンであると判断した場合に電源装置からの電力供給を許可し、当該電圧の変化のパターンが当該合格パターンではないと判断した場合に電源装置からの電力の利用を制限する。これにより、電子機器は、最初に低い電圧から段階的に電圧を上昇させる第１要素を備える合格パターンに基づいて、意図していない接続相手との誤接続によって不具合が発生してしまうことを抑制することができる。
【０００８】
また、本発明の他の態様は、電子機器において、前記電源装置からの電圧を一定にする安定化回路を前記電圧計の下流側に備える、構成が用いられてもよい。
この構成により、電子機器は、電源装置からの電圧を一定にする安定化回路を電圧計の下流側に備える。これにより、電子機器は、接続相手からの電力供給に基づいて定電圧による電流の消費を行うことができる。
【０００９】
また、本発明の他の態様は、電子機器に電力を供給する電源装置であって、供給する電力を合格パターンの電圧変化で供給する認証供給と、前記認証供給の後で行う通常供給とを交互に繰り返して電力供給を行う電源装置である。
この構成により、電源装置は、電子機器に電力を供給し、供給する電力を合格パターンの電圧変化で供給する認証供給と、認証供給の後で行う通常供給とを交互に繰り返して電力供給を行う。これにより、電源装置は、より適切に接続相手と連携できる。
また、本発明の他の態様は、電子機器に電力を供給する電源装置であって、供給する電力を最初に低い電圧から段階的に電圧を上昇させる第１要素を備えた合格パターンの電圧変化で供給する認証供給と、前記認証供給の後の通常供給とを行う電源装置である。
【００１０】
また、本発明の他の態様は、電源装置において、前記通常供給は、定電圧での電力供給である、構成が用いられてもよい。
この構成により、電源装置は、電子機器に電力を供給し、供給する電力を合格パターンの電圧変化で供給する認証供給と、認証供給の後で行う通常供給であって定電圧での電力供給である通常供給とを交互に繰り返して電力供給を行う。これにより、電源装置は、意図した接続相手に対して定電圧での電力供給を行うことができる。
【００１１】
以上により、電子機器は、電源装置からの電力供給を受けて動作し、電源装置からの電圧を計測し、電源装置から定期的に行われる電圧の変化のパターンが合格パターンであると判断した場合に電源装置からの電力供給を許可し、当該電圧が合格パターンの変化をしていないと判断した場合に電源装置からの電力の利用を制限する。これにより、電子機器は、より適切に接続相手と連携することができる。
また、電源装置は、電子機器に電力を供給し、供給する電力を合格パターンの電圧変化で供給する認証供給と、認証供給の後で行う通常供給とを交互に繰り返して電力供給を行う。これにより、電源装置は、より適切に接続相手と連携できる。
【図面の簡単な説明】
【００１２】
【図１】第１実施形態に係る電源システム１の構成の一例を示す図である。
【図２】第１実施形態に係る電源装置１０及び電子機器２０の構成の一例を示す図である。
【図３】第１実施形態に係る指示パターンテーブルの一例を示す図である。
【図４】第１実施形態に係る第２合格パターンテーブルの一例を示す図である。
【図５】第１実施形態に係る第１合格パターンテーブルの一例を示す図である。
【図６】第１機器処理のうちの電源装置１０のモードを通常動作モードから省電力モードに切り替える際に電子機器２０が行う処理の流れの一例を示すフローチャートである。
【図７】第１電源処理のうちの電源装置１０の動作モードを通常動作モードから省電力モードに切り替える際に電源装置１０が行う処理の流れの一例を示すフローチャートである。
【図８】電源装置１０のモードが切り替えられる前後における変化であって、電源装置１０の出力電圧の変化の一例を示す図である。
【図９】第１機器処理のうちの電源装置１０のモードを省電力モードから通常動作モードに切り替える際に電子機器２０が行う処理の流れの一例を示すフローチャートである。
【図１０】第１電源処理のうちの電源装置１０の動作モードを省電力モードから通常動作モードに切り替える際に電源装置１０が行う処理の流れの一例を示すフローチャートである。
【図１１】電源装置１０が行う第２電源処理の流れの一例を示すフローチャートである。
【図１２】電子機器２０が行う第２機器処理の流れの一例を示すフローチャートである。
【図１３】電子機器２０が行う第３機器処理の流れの一例を示すフローチャートである。
【図１４】電源装置１０が行う第３電源処理の流れの一例を示すフローチャートである。
【図１５】第１実施形態の変形例１に係る電源システム１が備える電源装置１０ａ及び電子機器２０ａの構成の一例を示す図である。
【図１６】第１実施形態の変形例２に係る電源装置１０及び電子機器２０が記憶しているパターンを例示する図である。
【図１７】第１実施形態の変形例３に係る電源装置１０及び電子機器２０が記憶しているパターンを例示する図である。
【図１８】第１実施形態の変形例４に係る電源システム１ｂが備える電源装置１０ｂ及び電子機器２０の構成の一例を示す図である。
【図１９】第２実施形態に係る電源システム１ｃが備える電源装置１０ｃ及び電子機器２０ｃの構成の一例を示す図である。
【図２０】第２実施形態に係る電源システム１ｄが備える電源装置１０ｄ及び電子機器２０ｄの構成の一例を示す図である。
【図２１】第４実施形態に係る電源システム１ｅが備える電源装置１０ｅ及び電子機器２０ｅの構成の一例を示す図である。
【発明を実施するための形態】
【００１３】
＜第１実施形態＞
以下、本発明の第１実施形態について、図面を参照して説明する。
【００１４】
＜電子機器の電源システムの構成＞
まず、第１実施形態に係る電源システム１の構成について説明する。
図１は、第１実施形態に係る電源システム１の構成の一例を示す図である。電源システム１は、電源装置１０と、電子機器２０を備える。
【００１５】
電源装置１０は、電子機器２０に電力を供給する。以下では、一例として、電源装置１０がＡＣ（Alternating  Current）アダプターである場合について説明する。なお、電源装置１０は、ＡＣアダプターに代えて、電子機器２０への出力電圧を変更可能であり、変更した出力電圧によって電子機器２０へ電力の供給を行うことが可能な装置であれば他の装置であってもよい。
【００１６】
電源装置１０は、コンセントＣＴに差し込まれるプラグＰＧを備える。電源装置１０は、コンセントＣＴに差し込まれたプラグＰＧから電力を供給される。すなわち、電源装置１０は、プラグＰＧによってコンセントＣＴから供給された交流電力に基づいて、電子機器２０に直流電力を供給する。
【００１７】
電子機器２０は、電源装置１０からの電力供給を受けて動作する。電子機器２０は、例えば、プリンターである。なお、電子機器２０は、プリンターに代えて、プロジェクターやＰＣ（Personal  Computer）等の他の電子機器であってもよい。
【００１８】
＜電源装置と電子機器が行う処理の概要＞
以下、電源システム１において電源装置１０と電子機器２０とが行う処理の概要について説明する。
【００１９】
電源システム１では、電源装置１０は、電子機器２０に供給する電流を計測する。電源装置１０は、第１モードと第２モードとを含むモードの切り替えを、計測した当該電流の変化のパターンに基づいて行う。モードは、電源装置１０の動作モードのことである。第１モードは、電源装置１０のモードのうちの第１電圧により電力供給を行うモードのことである。第２モードは、第１電圧よりも低い第２電圧で電力供給を行うモードのことである。これにより、電源装置１０は、接続相手との接続における通信線を増やさずにモードの切り替えを行うことができる。
【００２０】
以下では、一例として、第１モードが通常動作モードであり、第２モードが通常動作モードよりも消費電力が少ない省電力モードである場合について説明する。第１電圧は、例えば、４２ボルトである。なお、第１電圧は、これに代えて、他の電圧であってもよい。第２電圧は、例えば、１２ボルトである。なお、第２電圧は、これに代えて、第１電圧よりも低い電圧であれば他の電圧であってもよい。
【００２１】
また、電源装置１０は、認証供給と、認証供給の後で行う通常供給とを交互に繰り返して電子機器２０に電力供給を行う。認証供給は、電圧変化のパターンが第１合格パターンと一致する電圧変化（第１合格パターンの電圧変化）を伴う電力供給のことである。第１合格パターンは、予め決められたパターンである。また、第１合格パターンは、電子機器２０に予め記憶されたパターンである。第１合格パターンは、合格パターンの一例である。通常供給は、定電圧での電力供給のことである。これにより、電源装置１０は、意図していない接続相手との誤接続によって不具合が発生してしまうことを抑制することができる。
【００２２】
また、電源装置１０は、電子機器２０に供給する電流を計測する。電源装置１０は、計測した当該電流の変化のパターンが第２合格パターンであると判断（判定）した場合に電子機器２０に対する電力供給を許可する。第２合格パターンは、予め決められたパターンである。また、第２合格パターンは、電源装置１０に予め記憶されたパターンである。第２合格パターンは、合格パターンの一例である。一方、電源装置１０は、計測した当該電流が第２合格パターンで変化していないと判断（判定）した場合に電子機器２０に対する電力供給を禁止する。これにより、電源装置１０は、より適切に接続相手と連携することができる。
【００２３】
また、電源システム１では、電子機器２０は、電源装置１０のモードの切り替えに応じて、消費する電流の変化によって電源装置１０に対して第１指示を行う。第１指示は、当該モードを通常動作モードと省電力モードとのいずれかに指定する指示である。換言すると、電源システム１では、電子機器２０は、消費する電流の変化のパターンによって、電源装置１０のモードを切り替えさせる第１指示を電源装置１０に対して行う。これにより、電子機器２０は、接続相手との接続における通信線を増やさずにモードの切り替えを行うことができる。
【００２４】
また、電子機器２０は、電源装置１０からの電圧を計測する。電子機器２０は、電源装置１０から定期的に行われる電圧の変化のパターンが第１合格パターンであると判断（判定）した場合に電源装置１０からの電力供給を許可する。また、電子機器２０は、当該電圧の変化のパターンが第１合格パターンではないと判断（判定）した場合に電源装置１０からの電力の利用を制限する。これにより、電子機器２０は、意図していない接続相手との誤接続によって不具合が発生してしまうことを抑制することができる。
【００２５】
また、電子機器２０は、消費する電流の変化によって電源装置１０に対して第２指示を行う。第２指示は、電源装置１０への電源装置１０からの電力供給を許可する（開始させる）指示又は電力供給を禁止する（停止させる）指示のことである。換言すると、電子機器２０は、消費する電流の変化のパターンによって、電子機器２０への電力供給を開始させる又は停止させる第２指示を電源装置１０に対して行う。これにより、電子機器２０は、より適切に接続相手と連携することができる。
【００２６】
以下では、電源装置１０が行う第１電源処理〜第３電源処理のそれぞれについて説明する。第１電源処理は、電源装置１０のモードを切り替える際に電源装置１０が行う処理のことである。第２電源処理は、電源装置１０が認証供給と通常供給とを交互に繰り返して電子機器２０に電力供給を行う処理のことである。第３電源処理は、電源装置１０が電子機器２０に対する電力供給を許可する又は当該電力供給を禁止する処理のことである。
【００２７】
また、以下では、電子機器２０が行う第１機器処理〜第３機器処理のそれぞれについて説明する。第１機器処理は、電源装置１０のモードを切り替える際に、消費する電流の変化によって電源装置１０に対して第１指示を行う処理のことである。第２機器処理は、電源装置１０から定期的に行われる電圧の変化のパターンに基づいて電源装置１０からの電力供給を許可する、又は電源装置１０からの電力の利用を制限する処理のことである。第３機器処理は、消費する電流の変化によって電源装置１０に対して第２指示を行う処理のことである。ここで、電子機器２０が消費する電流は、この一例において、電子機器２０が電源装置１０に供給（出力）させる電流のことである。
【００２８】
＜電源装置及び電子機器の構成＞
以下、図２を参照し、電源装置１０及び電子機器２０の構成について説明する。図２は、第１実施形態に係る電源装置１０及び電子機器２０の構成の一例を示す図である。
【００２９】
電源装置１０は、プラグＰＧと、１次回路１１と、２次回路１２を備える。
【００３０】
１次回路１１は、プラグＰＧと電力供給用のケーブルによって接続されている。１次回路１１は、プラグＰＧを介して供給される交流電流に対して全波整流を行う。
【００３１】
１次回路１１は、インダクタンスＩ１を備える。図２に示した例では、インダクタンスＩ１以外の１次回路１１の構成については、省略されている。
【００３２】
インダクタンスＩ１は、例えば、コイルである。インダクタンスＩ１は、２次回路１２が備えるインダクタンスＩ２とともにトランス（変圧器）Ｔ１を構成する。なお、インダクタンスＩ１は、コイルに代えて、電流の変化に応じた磁場を発生させる他の電子部品であってもよい。
【００３３】
２次回路１２は、インダクタンスＩ２と、整流器Ｄ１と、コンデンサーＣ１と、フォトカプラーＰＣと、制御部１２０を備える。
【００３４】
インダクタンスＩ２は、例えば、コイルである。インダクタンスＩ２は、１次回路１１が備えるインダクタンスＩ１とともにトランスＴ１を構成する。トランスＴ１は、インダクタンスＩ１に供給された電力に基づいて、当該電力の電圧よりも低い電圧の電力をインダクタンスＩ２に供給する。なお、インダクタンスＩ２は、コイルに代えて、電流の変化に応じた磁場を発生させる他の電子部品であってもよい。
【００３５】
整流器Ｄ１は、制御部１２０が備える出力制御回路１２１に向かってインダクタンスＩ２から流れる電流を整流する。整流器Ｄ１は、例えば、ダイオードである。なお、整流器Ｄ１は、これに代えて、当該電流を整流する他の電子部品であってもよい。
【００３６】
コンデンサーＣ１は、出力制御回路１２１に向かってインダクタンスＩ２から供給される電圧を平滑化する。当該電圧は、トランスＴ１の周期に従って極性が変化するパルス電圧である。すなわち、コンデンサーＣ１は、時間の経過に応じた当該電圧値の変化の幅が所定の幅未満となるように平滑化する。
【００３７】
フォトカプラーＰＣは、出力制御回路１２１からの出力レベルに応じた信号を、図２において図示しない制御回路に出力する。当該制御回路は、当該信号に応じて、出力制御回路１２１からの出力の変動が小さくなるように１次回路１１を制御する。以下では、当該制御回路についての説明を省略する。
【００３８】
制御部１２０は、出力制御回路１２１と、出力電流検出回路１２２と、第１判定回路１２３と、第１記憶部１２４と、通電判定部１２５を備える。制御部１２０が備えるこれらの機能部は、ＬＳＩ（Large  Scale  Integration）やＡＳＩＣ（Application  Specific  Integrated  Circuit）等によって実現される。なお、これらの機能部が実現する機能のうちのソフトウェアによって実現可能な機能の一部又は全部は、ＣＰＵ（Central  Processing  Unit）が各種のプログラムを実行することによって実現される構成であってもよい。
【００３９】
出力制御回路１２１は、インダクタンスＩ２から供給される電力に基づいて、電力を電子機器２０に供給する。また、出力制御回路１２１は、第１判定回路１２３から第１判定回路１２３の判定結果を示す情報を取得する。出力制御回路１２１は、取得した当該情報が示す判定結果に基づいて、出力電圧を変更する（切り替える）。また、出力制御回路１２１は、取得した当該情報が示す判定結果に応じて、電子機器２０への電力供給を許可する、又は当該電力供給を禁止する。
【００４０】
出力電流検出回路１２２は、電源装置１０から電子機器２０に供給される電流を計測する。具体的には、出力電流検出回路１２２は、出力制御回路１２１と電子機器２０との間を流れる電流である出力電流を計測する。出力電流検出回路１２２によって計測された出力電流は、電子機器２０が消費した分の電流である。出力電流検出回路１２２は、電流計の一例である。出力電流検出回路１２２は、計測した出力電流を示す情報を第１判定回路１２３に出力する。
【００４１】
第１判定回路１２３は、出力電流検出回路１２２が計測した出力電流を示す情報を出力電流検出回路１２２から取得する。第１判定回路１２３は、第１記憶部１２４に記憶された指示パターンテーブルを参照し、出力電流パターンと一致する参照指示パターンが指示パターンテーブルに含まれているか否かを判定する。電流パターンは、電流の変化のパターンである。出力電流パターンは、出力電流検出回路１２２から取得した出力電流の変化のパターンである。参照指示パターンと一致するか否かの判定における出力電流パターン、すなわち電子機器２０によって消費された電流の変化のパターンは、電子機器２０から電源装置１０への第１指示の一例である。参照指示パターンは、電源装置１０や電子機器２０の製造時に予め記憶された電流パターンのうちの指示パターンテーブルに格納された電流パターンである。指示パターンテーブルは、第１記憶部１２４の記憶領域の一部に記憶されたテーブルである。また、指示パターンテーブルは、１以上の参照指示パターンを格納したテーブルである。
【００４２】
ここで、図３を参照し、指示パターンテーブルについて説明する。図３は、第１実施形態に係る指示パターンテーブルの一例を示す図である。図３に示した通り、指示パターンテーブルにおいて、参照指示パターンには、指示パターンＩＤと、電圧の大きさである電圧値とが対応付けられている。指示パターンＩＤは、参照指示パターンを識別する情報である。なお、図面では理解を容易にするため、全てのパターンを折れ線グラフで表しているが、この折れ線グラフは、横軸が時間を示しており、電圧の変化パターンであれば縦軸が電圧値を示し、電流の変化パターンであれば縦軸が電流値を示している。そして、横軸は右に行くほど時間が経過したことを示し、縦軸は上に行くほど電圧値又は電流値が大きくなることを示している。なお、０ボルトや０アンペアの位置は、折れ線グラフの最も下の線が０ボルトや０アンペア又はこれよりも上に位置するようなことが望ましい。また、指示パターンは、各線分の向きと大きさを羅列する形式や、時間単位毎での電圧値や電流値を羅列する形式等の様々な形式で記憶されていてもよい。
【００４３】
第１判定回路１２３は、出力電流パターンと一致する参照指示パターンが指示パターンテーブルに含まれていると判定した場合、出力電流パターンと一致する参照指示パターンに対応付けられた電圧値を示す情報を、指示判定結果を示す情報として出力制御回路１２１に出力する。なお、指示パターンは実際には信号波形がなまったり、ノイズが乗ったりして、伝わってくる。そのため、所定のマージン分の違いを許容した上で一致するかどうかの判断を行う。指示パターンテーブルには、マージン分を反映させて幅を持った参照指示パターンを記憶しておいてもよいし、マージン分を反映させない参照指示パターンを記憶しておいて、マージン分を考慮して一致か不一致かの判断を行ってもよい。このように、所定のマージン分の違いを許容した上で判断を行うのは、本願の他の記載でも同様である。なお、第１判定回路１２３は、出力電流パターンと一致する参照指示パターンが指示パターンテーブルに含まれていないと判定した場合、エラーを示す情報を、指示判定結果を示す情報として出力制御回路１２１に出力して、不図示のＬＥＤでユーザーにエラー通知を行ってもよく、他の処理を行ってもよく、何もしなくてもよい。以下では、一例として、当該場合に第１判定回路１２３が出力制御回路１２１に何もしない場合について説明する。
【００４４】
また、第１判定回路１２３は、第１記憶部１２４に記憶された第２合格パターンテーブルを参照し、出力電流パターンと一致する参照第２合格パターンが第２合格パターンテーブルに含まれているか否かを判定する。参照第２合格パターンと一致するか否かの判定における出力電流パターン、すなわち、電子機器２０によって消費された電流の変化のパターンは、電子機器２０から電源装置１０への第２指示の一例である。参照第２合格パターンは、電源装置１０や電子機器２０の製造時に予め記憶された電流パターンのうちの第２合格パターンテーブルに格納された電流パターンである。第２合格パターンテーブルは、第１記憶部１２４の記憶領域の他の一部に記憶されたテーブルである。また、第２合格パターンテーブルは、１以上の参照第２合格パターンを格納したテーブルである。
【００４５】
ここで、図４を参照し、第２合格パターンテーブルについて説明する。図４は、第１実施形態に係る第２合格パターンテーブルの一例を示す図である。図４に示した通り、第２合格パターンテーブルにおいて、参照第２合格パターンには、第２合格パターンＩＤと、電流の大きさである電流値とが対応付けられている。第２合格パターンＩＤは、第２合格パターンを識別する情報である。
【００４６】
第１判定回路１２３は、出力電流パターンと一致する第２合格パターンが第２合格パターンテーブルに含まれていると判定した場合、出力電流パターンと一致する第２合格パターンに対応付けられた電流値を示す情報を、第２合格判定結果を示す情報として出力制御回路１２１に出力する。一方、第１判定回路１２３は、出力電流パターンと一致する第２合格パターンが第２合格パターンテーブルに含まれていないと判定した場合、エラーを示す情報を、第２合格判定結果を示す情報として出力制御回路１２１に出力し、不図示のＬＥＤでユーザーにエラーを通知する。
【００４７】
第１記憶部１２４は、ＥＥＰＲＯＭ（Electrically  Erasable  Programmable  Read−Only  Memory）、ＲＯＭ（Read−Only  Memory）、ＲＡＭ（Random  Access  Memory）等を含む。第１記憶部１２４は、この一例において、指示パターンテーブルと、第２合格パターンテーブルを予め記憶している。
【００４８】
通電判定部１２５は、出力電流に基づいて、電源装置１０が電子機器２０と通電したか否かを判定する。電源装置１０が電子機器２０と通電したことは、この一例において、プラグＰＧがコンセントＣＴに差し込まれた状態の電源装置１０と電子機器２０とが接続されたことを意味する。すなわち、この一例において、プラグＰＧがコンセントＣＴに差し込まれていない状態の電源装置１０と電子機器２０とが接続された場合、通電判定部１２５は、電源装置１０と電子機器２０とが通電したと判定しない。
【００４９】
電子機器２０は、定電流源ＣＤ１と、定電流源ＣＤ２と、定電流源ＣＤ３と、トランジスターＴＲ１と、トランジスターＴＲ２と、トランジスターＴＲ３と、入力制御回路２１と、入力電圧検出回路２２と、第２判定回路２３と、第２記憶部２４と、内部回路２５を備える。
【００５０】
定電流源ＣＤ１は、電子機器２０において入力電圧検出回路２２の下流側に備えられる。定電流源ＣＤ１は、電源装置１０から供給される電流のうちの予め決められた大きさの第１電流をトランジスターＴＲ１のコレクターに供給する。
【００５１】
定電流源ＣＤ２は、電子機器２０において入力電圧検出回路２２の下流側に備えられる。定電流源ＣＤ２は、電源装置１０から供給される電流のうちの予め決められた大きさの第２電流をトランジスターＴＲ２のコレクターに供給する。
【００５２】
定電流源ＣＤ３は、電子機器２０において入力電圧検出回路２２の下流側に備えられる。定電流源ＣＤ３は、電源装置１０から供給される電流のうちの予め決められた大きさの第３電流をトランジスターＴＲ３のコレクターに供給する。なお、これらの定電流源ＣＤ１〜定電流源ＣＤ３のそれぞれは、安定化回路の一例である。
【００５３】
トランジスターＴＲ１は、内部回路２５からベースに電流が供給された場合、定電流源ＣＤ１からコレクターに供給された電流がエミッターに流れるようにコレクターとエミッターとの間を通電させる。また、トランジスターＴＲ１は、内部回路２５からベースに電流が供給されていない場合、当該電流がコレクターからエミッターに流れないようにコレクターとエミッターとの間を遮断する。なお、トランジスターＴＲ１は、スイッチ素子であれば、ＦＥＴ（Field  Effect  Transistor）等の他の電子部品であってもよい。
【００５４】
トランジスターＴＲ２は、内部回路２５からベースに電流が供給された場合、定電流源ＣＤ２からコレクターに供給された電流がエミッターに流れるようにコレクターとエミッターとの間を通電させる。また、トランジスターＴＲ２は、内部回路２５からベースに電流が供給されていない場合、当該電流がコレクターからエミッターに流れないようにコレクターとエミッターとの間を遮断する。なお、トランジスターＴＲ２は、スイッチ素子であれば、ＦＥＴ等の他の電子部品であってもよい。
【００５５】
トランジスターＴＲ３は、内部回路２５からベースに電流が供給された場合、定電流源ＣＤ３からコレクターに供給された電流がエミッターに流れるようにコレクターとエミッターとの間を通電させる。また、トランジスターＴＲ３は、内部回路２５からベースに電流が供給されていない場合、当該電流がコレクターからエミッターに流れないようにコレクターとエミッターとの間を遮断する。なお、トランジスターＴＲ３は、スイッチ素子であれば、ＦＥＴ等の他の電子部品であってもよい。
【００５６】
入力制御回路２１は、電源装置１０から供給された電力を内部回路２５に供給する。また、入力制御回路２１は、第２判定回路２３の判定結果である第１合格判定結果を示す情報を第２判定回路２３から取得する。入力制御回路２１は、取得した当該情報が示す第１合格判定結果に基づいて、内部回路２５に入力する電圧である入力電圧の大きさを変更する（切り替える）。
【００５７】
入力電圧検出回路２２は、入力電圧を計測する。入力電圧検出回路２２は、電圧計の一例である。入力電圧検出回路２２は、計測した入力電圧を示す情報を第２判定回路２３に出力する。
【００５８】
第２判定回路２３は、入力電圧検出回路２２が計測した入力電圧を示す情報を入力電圧検出回路２２から取得する。第２判定回路２３は、第２記憶部２４に記憶された第１合格パターンテーブルを参照し、入力電圧パターンと一致する参照第１合格パターンが第１合格パターンテーブルに含まれているか否かを判定する。電圧パターンは、電圧の変化のパターンである。入力電圧パターンは、入力電圧検出回路２２から取得した入力電圧の変化のパターンである。参照第１合格パターンは、電源装置１０や電子機器２０の製造時に予め記憶された電圧パターンである。また、参照第１合格パターンは、第１合格パターンテーブルに格納された電圧パターンである。第１合格パターンテーブルは、第２記憶部２４の記憶領域の一部に記憶されたテーブルである。また、第１合格パターンテーブルは、１以上の参照第１合格パターンを格納したテーブルである。
【００５９】
ここで、図５を参照し、第１合格パターンテーブルについて説明する。図５は、第１実施形態に係る第１合格パターンテーブルの一例を示す図である。図５に示した通り、第１合格パターンテーブルにおいて、参照第１合格パターンには、第１合格パターンＩＤと、電圧の大きさである電圧値とが対応付けられている。第１合格パターンＩＤは、第１合格パターンを識別する情報である。
【００６０】
第２判定回路２３は、入力電圧パターンと一致する第１合格パターンが第１合格パターンテーブルに含まれていると判定した場合、入力電圧パターンと一致する第１合格パターンに対応付けられた電圧値を示す情報を、第１合格判定結果を示す情報として入力制御回路２１に出力する。一方、第２判定回路２３は、入力電圧パターンと一致する第１合格パターンが第１合格パターンテーブルに含まれていないと判定した場合、エラーを示す情報を、第１合格判定結果を示す情報として入力制御回路２１に出力する。
【００６１】
第２記憶部２４は、ＥＥＰＲＯＭ、ＲＯＭ、ＲＡＭ等を含む。第２記憶部２４は、この一例において、第１合格パターンテーブルを予め記憶している。
【００６２】
内部回路２５は、電子機器２０の動作を制御する回路である。内部回路２５は、電子機器２０のモードを切り替える。電子機器２０のモードは、電子機器２０の動作モードのことである。当該モードには、通常動作モードと省電力モードが含まれる。電子機器２０の通常動作モードは、電源装置１０の出力電圧が４２ボルトの場合に動作するモードのことである。電子機器２０のモードが通常動作モードの場合、ユーザーは、電子機器２０が有するすべての機能を利用することができる。電子機器２０の省電力モードは、電源装置１０の出力電圧が１２ボルトの場合に動作するモードのことである。電子機器２０のモードが省電力モードの場合、ユーザーは、電子機器２０が有する一部の機能を利用することができる。
【００６３】
内部回路２５は、電子機器２０のモードが通常動作モードである場合、無操作状態が継続している時間を図示しない計時部によって計時する。無操作状態は、ユーザーから操作を受け付けていない状態のことである。内部回路２５は、無操作状態が継続している時間が所定継続時間以上であると判定した場合、トランジスターＴＲ１〜トランジスターＴＲ３のそれぞれのベースに、各コレクター・エミッター間を通電させる電流として、所定の第１条件を満たすようにモード切替信号を出力する。
【００６４】
第１条件は、合流電流の変化のパターンが、図３に示した指示パターンのうちの１２ボルトに対応付けられた指示パターンと一致することである。これは、電源装置１０の出力電圧が省電力モードにおいて１２ボルトであるためである。ここで、合流電流は、トランジスターＴＲ１〜トランジスターＴＲ３のそれぞれのエミッターから出力された３つの電流が合流した後の電流である。
【００６５】
また、内部回路２５は、電子機器２０のモードが省電力モードである場合、ユーザーから操作を受け付けるまで待機する。内部回路２５は、ユーザーからの操作を受け付けた場合、トランジスターＴＲ１〜トランジスターＴＲ３のそれぞれに、各コレクター・エミッター間を通電させる電流として、所定の第２条件を満たすようにモード切替信号を出力する。第２条件は、合流電流の変化のパターンが、図３に示した指示パターンのうちの４２ボルトに対応付けられた指示パターンと一致することである。これは、電源装置１０の出力電圧が通常動作モードにおいて４２ボルトであるためである。
【００６６】
なお、内部回路２５は、３つ以上のモードのそれぞれを、所定の条件に応じて切り替えるモード切替信号をトランジスターＴＲ１〜トランジスターＴＲ３のそれぞれに出力する構成であってもよい。この場合、各モードの一部又は全部には、互いに異なる出力電圧が対応付けられてもよく、互いに同じ出力電圧が対応付けられてもよい。
【００６７】
また、内部回路２５は、トランジスターＴＲ１〜トランジスターＴＲ３のそれぞれのベースに、所定の第３条件を満たすようにモード切替信号を出力する。第３条件は、合流電流の変化のパターンが、図４に示した第２合格パターンのうちの電子機器２０の最大使用電流値に対応付けられた第２合格パターンと一致することである。最大使用電流値は、この一例において、１．０アンペアである。なお、最大使用電流値は、これに代えて、他の電流値であってもよい。
【００６８】
＜電子機器が行う第１機器処理、及び電源装置が行う第１電源処理＞
以下、図６〜１０を参照し、電子機器２０が行う第１機器処理、及び電源装置１０が行う第１電源処理について説明する。図６は、第１機器処理のうちの電源装置１０のモードを通常動作モードから省電力モードに切り替える際に電子機器２０が行う処理の流れの一例を示すフローチャートである。
【００６９】
第１機器処理のうちの電源装置１０のモードを通常動作モードから省電力モードに切り替える処理において、内部回路２５は、図示しない計時部によって無操作状態が所定継続時間以上続くまで待機する（ステップＳ１１０）。無操作状態が所定継続時間以上続いたと判定した場合（ステップＳ１１０−ＹＥＳ）、内部回路２５は、トランジスターＴＲ１〜トランジスターＴＲ３のそれぞれのベースに、所定の第１条件を満たすようにモード切替信号を出力する。これにより、内部回路２５は、合流電流の変化のパターンを、図３に示した指示パターンのうちの１２ボルトに対応付けられた指示パターンと一致させる（ステップＳ１２０）。すなわち、内部回路２５は、電子機器２０が消費する電流の変化のパターンを、当該指示パターンと一致させる。そして、内部回路２５は、処理を終了する。
【００７０】
図７は、第１電源処理のうちの電源装置１０の動作モードを通常動作モードから省電力モードに切り替える際に電源装置１０が行う処理の流れの一例を示すフローチャートである。なお、以下では、一例として、図７に示したフローチャートのステップＳ２１０が実行される直前まで、電源装置１０のモードが通常動作モードである場合について説明する。
【００７１】
第１判定回路１２３は、第１記憶部１２４から指示パターンテーブルを読み出す。また、第１判定回路１２３は、出力電流検出回路１２２により検出された出力電流を示す情報を出力電流検出回路１２２から取得する。そして、第１判定回路１２３は、取得した出力電流の変化のパターンである出力電流パターンが、第１記憶部１２４から読み出した指示パターンテーブルに含まれている参照指示パターンのうちの１２ボルトに対応づけられた参照指示パターンと一致するまで待機する（ステップＳ２１０）。当該出力電流パターンが当該参照指示パターンと一致したと判定した場合（ステップＳ２１０−ＹＥＳ）、第１判定回路１２３は、当該参照指示パターンに対応付けられた電圧値である１２ボルトを示す情報を、指示判定結果を示す情報として出力制御回路１２１に出力する（ステップＳ２１５）。
【００７２】
次に、出力制御回路１２１は、ステップＳ２１５において第１判定回路１２３が出力した指示判定結果を示す情報を第１判定回路１２３から取得する。そして、出力制御回路１２１は、出力電圧を、第１判定回路１２３から取得した当該情報が示す１２ボルトの電圧に変更し（ステップＳ２２０）、処理を終了する。すなわち、出力制御回路１２１は、当該情報に基づいて電源装置１０のモードを通常動作モードから省電力モードに切り替える。
【００７３】
図８は、電源装置１０のモードが切り替えられる前後における変化であって、電源装置１０の出力電圧の変化の一例を示す図である。図８に示したグラフは、電源装置１０の出力電圧の変化を表している。当該グラフの縦軸は、電源装置１０の出力電圧の電圧値を表している。当該グラフの横軸は、時間を表している。図８において、時刻Ｔ１１は、電源装置１０のモードが通常動作モードから省電力モードに切り替えられた時刻を表している。図８に示したように、時刻Ｔ１１までの電源装置１０のモードが通常動作モードであるため、時刻Ｔ１１までの電源装置１０の出力電圧は、４２ボルトである。一方、時刻Ｔ１１からの電源装置１０のモードが省電力モードであるため、時刻Ｔ１１からの電源装置１０の出力電圧は、１２ボルトである。
【００７４】
図９は、第１機器処理のうちの電源装置１０のモードを省電力モードから通常動作モードに切り替える際に電子機器２０が行う処理の流れの一例を示すフローチャートである。
【００７５】
第１機器処理のうちの電源装置１０のモードを省電力モードから通常動作モードに切り替える処理において、内部回路２５は、ユーザーからの操作が受け付けられるまで待機する（ステップＳ３１０）。ユーザーからの操作が受け付けられたと判定した場合（ステップＳ３１０−ＹＥＳ）、内部回路２５は、トランジスターＴＲ１〜トランジスターＴＲ３のそれぞれのベースに、所定の第２条件を満たすようにモード切替信号を出力する。これにより、内部回路２５は、合流電流の変化のパターンを、図３に示した指示パターンのうちの４２ボルトに対応付けられた指示パターンと一致させる（ステップＳ３２０）。すなわち、内部回路２５は、電子機器２０が消費する電流（電源装置１０の出力電流）の変化のパターンを、当該指示パターンと一致させる。そして、内部回路２５は、処理を終了する。
【００７６】
図１０は、第１電源処理のうちの電源装置１０の動作モードを省電力モードから通常動作モードに切り替える際に電源装置１０が行う処理の流れの一例を示すフローチャートである。なお、以下では、一例として、図１０に示したフローチャートのステップＳ４１０が実行される直前まで、電源装置１０のモードが省電力モードである場合について説明する。
【００７７】
第１判定回路１２３は、第１記憶部１２４から指示パターンテーブルを読み出す。また、第１判定回路１２３は、出力電流検出回路１２２により検出された出力電流を示す情報を出力電流検出回路１２２から取得する。そして、第１判定回路１２３は、取得した出力電流の変化のパターンである出力電流パターンが、第１記憶部１２４から読み出した指示パターンテーブルに含まれている参照指示パターンのうちの４２ボルトに対応付けられた参照指示パターンと一致するまで待機する（ステップＳ４１０）。当該出力電流パターンが当該参照指示パターンと一致したと判定した場合（ステップＳ４１０−ＹＥＳ）、第１判定回路１２３は、当該参照指示パターンに対応付けられた電圧値である４２ボルトを示す情報を、指示判定結果を示す情報として出力制御回路１２１に出力する（ステップＳ４１５）。
【００７８】
次に、出力制御回路１２１は、ステップＳ４１５において第１判定回路１２３が出力した指示判定結果を示す情報を第１判定回路１２３から取得する。そして、出力制御回路１２１は、出力電圧を、第１判定回路１２３から取得した当該情報が示す４２ボルトの電圧に変更し（ステップＳ４２０）、処理を終了する。すなわち、出力制御回路１２１は、当該情報に基づいて電源装置１０のモードを省電力モードから通常動作モードに切り替える。
【００７９】
＜電源装置が行う第２電源処理＞
以下、図１１を参照し、電源装置１０が行う第２電源処理について説明する。図１１は、電源装置１０が行う第２電源処理の流れの一例を示すフローチャートである。なお、図１１に示したフローチャートでは、ステップＳ５１０が実行される直前まで電源装置１０と電子機器２０との間が通電していない場合について説明する。
【００８０】
通電判定部１２５は、電源装置１０と電子機器２０が通電するまで待機する（ステップＳ５１０）。電源装置１０と電子機器２０が通電したと通電判定部１２５が判定した場合（ステップＳ５１０−ＹＥＳ）、出力制御回路１２１は、第３電圧による電力供給を開始する（ステップＳ５２０）。当該第３電圧は、この一例において、電源装置１０のモードが通常動作モードである場合の電源装置１０の出力電圧よりも低い電圧であり、例えば、２０ボルトである。なお、当該第３電圧は、これに代えて、当該出力電圧よりも低い電圧であれば他の電圧であってもよい。
【００８１】
ステップＳ５２０における処理は、電源装置１０に不適合な電子機器が接続された場合に、接続されてから少しの間、通常使用時における電源装置１０の出力電圧よりも低い出力電圧によって当該電子機器に電力を供給することで、電源装置１０及び当該電子機器２０の両方に不具合を生じさせる可能性を抑制するために行う処理である。電源装置１０に不適合な電子機器は、この一例において、電源装置１０の電力供給によって正常に動作しない電子機器のことである。なお、当該可能性を考慮しない場合、当該第３電圧は、電源装置１０の通常動作モードにおける出力電圧と同じ電圧であってもよい。通常使用時の電源装置１０の出力電圧は、電源装置１０のモードが通常動作モードの場合における電源装置１０の出力電圧のことであり、この一例において、４２ボルトである。
【００８２】
次に、出力制御回路１２１は、所定期間において所定時間が経過する毎（すなわち、定期的）に、ステップＳ５４０〜ステップＳ５５０の処理を繰り返し行う（ステップＳ５３０）。所定期間は、例えば、５秒間である。なお、所定期間は、これに代えて、他の期間であってもよい。所定時間は、例えば、１秒である。なお、所定時間は、これに代えて、他の時間であってもよい。また、出力制御回路１２１は、ステップＳ５４０〜ステップＳ５５０の処理を１回のみ行う構成であってもよい。
【００８３】
ステップＳ５３０において所定時間が経過した後、出力制御回路１２１は、認証供給により電子機器２０に電力供給を行う（ステップＳ５４０）。具体的には、出力制御回路１２１は、図５に示した第１合格パターンのうちの通常動作モードにおける電源装置１０の出力電圧に対応付けられた第１合格パターンの電圧変化を伴う電力供給を認証供給として電子機器２０に行う。前述したように当該出力電圧は、この一例において、４２ボルトである。なお、ステップＳ５４０の認証供給における電圧変化の最大値は、第３電圧の大きさである。
【００８４】
また、第１合格パターンのうちの通常動作モードにおける電源装置１０の出力電圧に対応付けられた第１合格パターンは、この一例において図５に示したように、最初に低い電圧から段階的に電圧を上昇させる第１要素を備える。当該第１合格パターンは、図５では、＃１０４の第１合格パターンＩＤに対応付けられた第１合格パターンである。これにより、電子機器２０は、最初に低い電圧から段階的に電圧を上昇させる第１要素を備える第１合格パターンに基づいて、意図していない接続相手との誤接続によって不具合が発生してしまうことを抑制することができる。なお、第１合格パターンのうちの通常動作モードにおける電源装置１０の出力電圧に対応付けられた第１合格パターンは、当該第１要素を備えない第１合格パターンであってもよい。
【００８５】
次に、出力制御回路１２１は、通常供給により電子機器２０に電力供給を行う（ステップＳ５５０）。具体的には、出力制御回路１２１は、第３電圧の大きさを一定に保ったままの電力供給を通常供給として電子機器２０に行う。
このように、出力制御回路１２１は、所定期間において所定時間が経過する毎に、認証供給と、認証供給の後で行う通常供給とを交互に繰り返して電子機器２０に電力供給を行う。
【００８６】
所定期間が経過した後、出力制御回路１２１は、電源装置１０のモードを通常動作モードに切り替え、４２ボルトの出力電圧による電力供給を電子機器２０に行う（ステップＳ５６０）。次に、出力制御回路１２１は、電子機器２０への電力供給を終了させる操作が受け付けられるまで、当該電力供給を電子機器２０に行い続ける（ステップＳ５７０）。出力制御回路１２１は、電子機器２０への電力供給を終了させる操作が受け付けられたと判定した場合（ステップＳ５７０−ＹＥＳ）、電子機器２０への電力供給を停止し、処理を終了する。
【００８７】
＜電子機器が行う第２機器処理＞
以下、図１２を参照し、電子機器２０が行う第２機器処理について説明する。図１２は、電子機器２０が行う第２機器処理の流れの一例を示すフローチャートである。なお、図１２に示したフローチャートでは、すでに電源装置１０と電子機器２０との間が通電している場合について説明する。
【００８８】
第２判定回路２３は、第２記憶部２４から第１合格パターンテーブルを読み出す。また、第２判定回路２３は、入力電圧検出回路２２により検出された入力電圧を示す情報を入力電圧検出回路２２から取得する。そして、第２判定回路２３は、取得した入力電圧の変化のパターンである入力電圧パターンが、第２記憶部２４から読み出した第１合格パターンテーブルに含まれている参照第１合格パターンのうちの４２ボルトに対応づけられた参照第１合格パターンと一致するまで待機する（ステップＳ６１０）。
【００８９】
入力電圧パターンが４２ボルトに対応づけられた参照第１合格パターンと一致したと判定した場合（ステップＳ６１０−ＹＥＳ）、第２判定回路２３は、当該参照第１合格パターンに対応付けられた電圧値である４２ボルトを示す情報を、第１合格判定結果を示す情報として入力制御回路２１に出力する。そして、当該情報を取得した入力制御回路２１は、電源装置１０からの電力供給を許可し（ステップＳ６２０）、処理を終了する。一方、当該入力電圧パターンが当該参照第１合格パターンと一致していないと判定した場合（ステップＳ６１０−ＮＯ）、第２判定回路２３は、エラーを示す情報を、第１合格判定結果を示す情報として入力制御回路２１に出力する。そして、当該情報を取得した入力制御回路２１は、電源装置１０からの電力供給を制限し（ステップＳ６２０）、処理を終了する。
【００９０】
この一例において、入力制御回路２１は、電源装置１０から内部回路２５へ流れる電流を遮断することによって、電源装置１０からの電力供給を制限する。なお、入力制御回路２１は、これに代えて、電源装置１０から内部回路２５へ流れることが可能な電流の量に上限を設けることにより、電源装置１０からの電力供給を制限する構成であってもよい。
【００９１】
ここで、４２ボルトに対応付けられた参照第１合格パターンと一致した入力電圧パターンは、図１１に示したステップＳ５４０の処理において電子機器２０が行う認証供給による出力電圧パターンが電子機器２０によって検出されたパターンである。すなわち、電源装置１０と電子機器２０は、電源装置１０が行う認証供給と、電子機器２０が行う入力電圧パターンの検出とによって接続相手が不適合か否かを判断し、その判断結果に応じて電力供給の許可又は制限を行う。これにより、電源装置１０と電子機器２０は、意図していない接続相手との誤接続によって不具合が発生してしまうことを抑制することができる。また、電源装置１０が所定期間において所定時間が経過する毎に認証供給と通常供給とを順に繰り返すため、電子機器２０は、４２ボルトに対応付けられた参照第１合格パターンと一致した入力電圧パターンの検出に失敗してしまうことを抑制することができる。
【００９２】
＜電子機器が行う第３機器処理＞
以下、図１３を参照し、電子機器２０が行う第３機器処理について説明する。図１３は、電子機器２０が行う第３機器処理の流れの一例を示すフローチャートである。以下では、一例として、図１３に示したフローチャートのステップＳ７１０の処理が、図１１に示したステップＳ５３０の処理が開始されるタイミングにおいて開始される場合について説明する。すなわち、ステップＳ５３０における所定期間と、ステップＳ７１０における所定期間とは、時間的に同期している。なお、これらの所定期間は、互いに異なるタイミングにおいて開始される構成であってもよい。
【００９３】
内部回路２５は、所定期間において所定時間が経過する毎に、ステップＳ７２０の処理を繰り返し行う（ステップＳ７１０）。
内部回路２５は、トランジスターＴＲ１〜トランジスターＴＲ３のそれぞれのベースに、所定の第３条件を満たすようにモード切替信号を出力する（ステップＳ７２０）。すなわち、内部回路２５は、電子機器２０が使用する電流の変化のパターンを、当該第２合格パターンと一致させる。そして、内部回路２５は、処理を終了する。
【００９４】
＜電源装置が行う第３電源処理＞
以下、図１４を参照し、電源装置１０が行う第３電源処理について説明する。図１４は、電源装置１０が行う第３電源処理の流れの一例を示すフローチャートである。
【００９５】
第１判定回路１２３は、第１記憶部１２４から第２合格パターンテーブルを読み出す。また、第１判定回路１２３は、出力電流検出回路１２２により検出された出力電流を示す情報を出力電流検出回路１２２から取得する。そして、第１判定回路１２３は、前述の所定期間内において１度でも、取得した出力電流の変化のパターンである出力電流パターンが、第１記憶部１２４から読み出した第２合格パターンテーブルに含まれている参照第２合格パターンのうちの１．０アンペアに対応付けられた参照第２合格パターンと一致するか否かを判定し続ける（ステップＳ８１０）。
【００９６】
所定期間内において１度でも出力電流パターンが１．０アンペアに対応付けられた参照第２合格パターンと一致したと判定した場合（ステップＳ８１０−ＹＥＳ）、第１判定回路１２３は、当該参照第２合格パターンに対応付けられた電流値である１．０アンペアを示す情報を、第２合格判定結果を示す情報として出力制御回路１２１に出力する。当該情報を取得した出力制御回路１２１は、当該情報が示す電流値が供給可能最大電流値未満であるか否かを判定する（ステップＳ８１５）。供給可能最大電流値は、電源装置１０の供給可能な最大の電流値のことである。当該情報が示す電流値が供給可能最大電流値未満であると判定した場合（ステップＳ８１５−ＹＥＳ）、出力制御回路１２１は、電子機器２０への電力供給を許可し（ステップＳ８２０）、処理を終了する。これは、電子機器２０の最大使用電流値が供給可能最大電流値未満であった場合、電源装置１０が電子機器２０を正常に動作させることができるためである。一方、当該情報が示す電流値が供給可能最大電流値未満ではないと判定した場合（ステップＳ８１５−ＮＯ）、出力制御回路１２１は、電子機器２０への電力供給を禁止（停止）する（ステップＳ８３０）。これは、電子機器２０の最大使用電流値が供給可能最大電流値以上であった場合、電源装置１０が電子機器２０を正常に動作させることができないためである。
【００９７】
一方、所定期間内において１度も出力電流パターンが１．０アンペアに対応付けられた参照第２合格パターンと一致していないと判定した場合（ステップＳ８１０−ＮＯ）、第１判定回路１２３は、エラーを示す情報を、第２合格判定結果を示す情報として出力制御回路１２１に出力する。当該情報を取得した出力制御回路１２１は、ステップＳ８３０において電子機器２０への電力供給を禁止し、処理を終了する。これは、電子機器２０の最大使用電流値が不明であるため、電源装置１０が電子機器２０を正常に動作させることができない可能性があるためである。
【００９８】
このように、電源装置１０と電子機器２０は、第３電源処理と第３機器処理とによって接続相手が不適合か否かを判断し、その判断結果に応じて電力供給の許可又は制限を行う。これにより、電源装置１０と電子機器２０は、意図していない接続相手との誤接続によって不具合が発生してしまうことを抑制することができる。
なお、図１４に示したフローチャートにおける電源装置１０の電子機器２０への電力供給の禁止は、図１１に示したフローチャートにおけるいずれの処理よりも優先して実行される。
【００９９】
なお、例えば、一定量の電流（バイアス電流）あるいは電圧（バイアス電圧）が加算され、電流あるいは電圧波形がかさ上げされているようにすることを考えると、第１判定回路１２３は、出力電流パターンを表す波の形状と、参照指示パターンを表す波の形状とが同じであれば、これらの波の各時刻における高さ（電流値）が異なっている場合であっても、当該出力電流パターンと当該参照指示パターンとが一致していると判定する。また、第１判定回路１２３は、出力電流パターンを表す波の形状と、参照第２合格パターンを表す波の形状とが同じであれば、これらの波の各時刻における高さ（電流値）が異なっている場合であっても、当該出力電流パターンと当該参照第２合格パターンとが一致していると判定する。また、第２判定回路２３は、入力電圧パターンを表す波の形状と、参照第１合格パターンを表す波の形状とが同じであれば、これらの波の各時刻における高さ（電圧値）が異なっている場合であっても、当該入力電圧パターンと当該参照第１合格パターンとが一致していると判定する。
【０１００】
＜第１実施形態の変形例１＞
以下、図１５を参照し、第１実施形態の変形例１について説明する。なお、第１実施形態の変形例１では、第１実施形態と同様な構成部に対して同じ符号を付して説明を省略する。第１実施形態の変形例１に係る電源システム１ａは、電源装置１０ａと、電子機器２０ａを備える。
【０１０１】
第１実施形態の変形例１に係る電源システム１ａでは、電子機器２０ａが第２機器処理を行わず、電源装置１０ａが第２機器処理を行う。
【０１０２】
図１５は、第１実施形態の変形例１に係る電源システム１が備える電源装置１０ａ及び電子機器２０ａの構成の一例を示す図である。
電源装置１０ａは、プラグＰＧと、１次回路１１と、２次回路１２ａを備える。
２次回路１２ａは、インダクタンスＩ２と、整流器Ｄ１と、コンデンサーＣ１と、フォトカプラーＰＣと、制御部１２０ａを備える。
【０１０３】
制御部１２０ａは、出力制御回路１２１と、出力電流検出回路１２２と、第１判定回路１２３と、第１記憶部１２４と、通電判定部１２５と、出力電圧遮断回路１２６を備える。制御部１２０ａが備えるこれらの機能部は、ＬＳＩやＡＳＩＣ等によって実現される。なお、これらの機能部が実現する機能のうちのソフトウェアによって実現可能な機能の一部又は全部は、ＣＰＵが各種のプログラムを実行することによって実現される構成であってもよい。
【０１０４】
出力電圧遮断回路１２６は、電子機器２０ａが備える第２判定回路２３ａから第１合格判定結果を示す情報を取得する。出力電圧遮断回路１２６は、取得した当該情報が電圧値を示していた場合、電子機器２０ａへの電力供給を許可する。一方、出力電圧遮断回路１２６は、取得した当該情報がエラーを示していた場合、電子機器２０ａへの電力供給を制限する。
【０１０５】
この一例において、出力電圧遮断回路１２６と第２判定回路２３ａは、有線によって通信可能に接続されている。なお、出力電圧遮断回路１２６と第２判定回路２３ａは、無線によって通信可能に接続される構成であってもよい。また、出力電圧遮断回路１２６は、出力制御回路１２１と一体であってもよい。
【０１０６】
電子機器２０ａは、定電流源ＣＤ１と、定電流源ＣＤ２と、定電流源ＣＤ３と、トランジスターＴＲ１と、トランジスターＴＲ２と、トランジスターＴＲ３と、入力電圧検出回路２２と、第２判定回路２３ａと、第２記憶部２４と、内部回路２５を備える。
第２判定回路２３ａは、入力電圧検出回路２２が計測した入力電圧を示す情報を入力電圧検出回路２２から取得する。第２判定回路２３ａは、第２記憶部２４に記憶された第１合格パターンテーブルを参照し、入力電圧パターンと一致する参照第１合格パターンが第１合格パターンテーブルに含まれているか否かを判定する。入力電圧パターンと一致する第１合格パターンが第１合格パターンテーブルに含まれていると判定した場合、入力電圧パターンと一致する第１合格パターンに対応付けられた電圧値を示す情報を、第１合格判定結果を示す情報として電源装置１０ａの出力電圧遮断回路１２６に出力する。一方、第２判定回路２３ａは、入力電圧パターンと一致する第１合格パターンが第１合格パターンテーブルに含まれていないと判定した場合、エラーを示す情報を、第１合格判定結果を示す情報として出力電圧遮断回路１２６に出力する。
【０１０７】
このように、第１実施形態の変形例１に係る電源システム１ａでは、電子機器２０ａが第２機器処理を行わず、電源装置１０ａが第２機器処理を行う。これにより、電源システム１ａでは、電源装置１０ａと電子機器２０ａが、第１実施形態における電源装置１０及び電子機器２０と同様に、意図していない接続相手との誤接続によって不具合が発生してしまうことを抑制することができる。
【０１０８】
＜第１実施形態の変形例２＞
以下、図１６を参照し、第１実施形態の変形例２について説明する。なお、第１実施形態の変形例２では、第１実施形態と同様な構成部に対して同じ符号を付して説明を省略する。
【０１０９】
第１実施形態の変形例２に係る電源システム１では、参照指示パターンと、参照第１合格パターンと、参照第２合格パターンとのうちの一部又は全部が、図１６に示すように、パルスの波高値が変化しないパターンであってパルス幅が変化するパターンであってもよい。以下では、一例として、参照指示パターンと、参照第１合格パターンと、参照第２合格パターンとの全部が当該パターンである場合について説明する。
【０１１０】
図１６は、第１実施形態の変形例２に係る電源装置１０及び電子機器２０が記憶しているパターンを例示する図である。図１６に示したように、参照指示パターンと、参照第１合格パターンと、参照第２合格パターンとは、パルスの波高値が変化しないパターンであってパルス幅が変化するパターンである。これにより、第１実施形態の変形例２に係る電源システム１は、第１実施形態と同様の効果を得ることができる。
【０１１１】
＜第１実施形態の変形例３＞
以下、図１７を参照し、第１実施形態の変形例３について説明する。なお、第１実施形態の変形例３では、第１実施形態と同様な構成部に対して同じ符号を付して説明を省略する。
【０１１２】
第１実施形態の変形例３に係る電源システム１では、参照指示パターンと、参照第１合格パターンと、参照第２合格パターンとのうちの一部又は全部が、図１７に示すように、互いに異なるパルス幅のパルスを組み合わせることによって文字コードを表わしているパターンであってもよい。以下では、一例として、参照指示パターンと、参照第１合格パターンと、参照第２合格パターンとの全部が当該パターンである場合について説明する。
【０１１３】
図１７は、第１実施形態の変形例３に係る電源装置１０及び電子機器２０が記憶しているパターンを例示する図である。図１７に示したように、参照指示パターンと、参照第１合格パターンと、参照第２合格パターンとは、互いに異なるパルス幅のパルスを組み合わせることによって文字コードを表わしているパターンである。図１７に示した例では、これらのパターンは、当該パルス幅のパルスを組み合わせることによってモールス符号（文字コードの一例）を表している。なお、文字コードは、モールス符号に代えて、他の文字コードであってもよい。
【０１１４】
参照指示パターンと、参照第１合格パターンと、参照第２合格パターンとが、互いに異なるパルス幅のパルスを組み合わせることによって文字コードを表わしているパターンである場合、内部回路２５は、トランジスターＴＲ１〜トランジスターＴＲ３のそれぞれのベースに、所定の第４条件を満たすようにモード切替信号を出力する。第４条件は、合流電流の変化のパターンが、電源装置１０に出力させたい電圧値を示すモールス符号を表すパターンと一致することである。
【０１１５】
また、参照指示パターンと、参照第１合格パターンと、参照第２合格パターンとが、互いに異なるパルス幅のパルスを組み合わせることによって文字コードを表わしているパターンである場合、第１判定回路１２３は、指示パターンテーブルに含まれる参照指示パターンによって、出力電流パターンを、電圧値を示す情報に変換する。そして、第１判定回路１２３は、当該電圧値を示す情報を、指示判定結果を示す情報として出力制御回路１２１に出力する。当該情報を取得した出力制御回路１２１は、当該情報が示す電圧値が最大出力電圧値未満であるか否かを判定する。最大出力電圧値は、電源装置１０が電力供給を行う際に出力することが可能な最大の電圧値のことである。当該情報が示す電圧値が最大出力電圧値未満であると判定した場合、出力制御回路１２１は、出力電圧を当該電圧値に変更する。これにより、電源装置１０は、モールス符号を表すパターンによる電子機器２０からの第１指示により、出力電圧を予め登録されていない電圧値の出力電圧に変更することができる。一方、当該情報が示す電圧値が最大出力電圧値未満ではないと判定した場合、出力制御回路１２１は、電子機器２０への電力供給を禁止（停止）する。これにより、電源装置１０は、意図していない接続相手との誤接続によって不具合が発生してしまうことを抑制することができる。なお、この場合の出力電流パターン、すなわち電子機器２０が備える内部回路２５によって消費された合流電流の変化のパターンは、電子機器２０から電源装置１０への第１指示の一例である。
【０１１６】
また、参照指示パターンと、参照第１合格パターンと、参照第２合格パターンとが、互いに異なるパルス幅のパルスを組み合わせることによって文字コードを表わしているパターンである場合、内部回路２５は、トランジスターＴＲ１〜トランジスターＴＲ３のそれぞれのベースに、所定の第５条件を満たすようにモード切替信号を出力する。第５条件は、合流電流の変化のパターンが、電子機器２０の最大使用電流値を示すモールス符号を表すパターンと一致することである。
【０１１７】
また、参照指示パターンと、参照第１合格パターンと、参照第２合格パターンとが、互いに異なるパルス幅のパルスを組み合わせることによって文字コードを表わしているパターンである場合、第１判定回路１２３は、第２合格パターンテーブルに含まれる参照第２合格パターンによって、出力電流パターンを、電流値を示す情報に変換する。そして、第１判定回路１２３は、当該情報を、第２合格判定結果を示す情報として出力制御回路１２１に出力する。当該情報を取得した出力制御回路１２１は、当該情報が示す電流値が供給可能最大電流値未満であるか否かを判定する。当該情報が示す電流値が供給可能最大電流値未満であると判定した場合、出力制御回路１２１は、電子機器２０への電力供給を許可する。これは、電子機器２０の最大使用電流値が供給可能最大電流値未満であった場合、電源装置１０が電子機器２０を正常に動作させることができるためである。一方、当該情報が示す電流値が供給可能最大電流値未満ではないと判定した場合、出力制御回路１２１は、電子機器２０への電力供給を禁止（停止）する。これは、電子機器２０の最大使用電流値が供給可能最大電流値以上であった場合、電源装置１０が電子機器２０を正常に動作させることができないためである。なお、この場合の出力電流パターン、すなわち電子機器２０が備える内部回路２５によって消費された合流電流の変化のパターンは、電子機器２０から電源装置１０への第２指示の一例である。
【０１１８】
このように、第１実施形態の変形例３に係る電源システム１では、参照指示パターンと、参照第１合格パターンと、参照第２合格パターンとのうちの一部又は全部が、図１７に示すように、互いに異なるパルス幅のパルスを組み合わせることによって文字コードを表わしているパターンである。これにより、第１実施形態の変形例３に係る電源システム１は、第１実施形態と同様の効果を得ることができる。
【０１１９】
＜第１実施形態の変形例４＞
以下、図１８を参照し、第１実施形態の変形例４について説明する。なお、第１実施形態の変形例４では、第１実施形態と同様な構成部に対して同じ符号を付して説明を省略する。第１実施形態の変形例４に係る電源システム１ｂは、電源装置１０ｂと、電子機器２０を備える。電源装置１０ｂは、１次回路１１ｂと、２次回路１２ｂを備える。
【０１２０】
電源システム１ｂでは、電源装置１０ｂの２次回路１２ｂが制御部１２０を備えず、１次回路１１ｂが制御部１１０を備える。すなわち、電源システム１ｂでは、２次回路１２ｂが第１電源処理〜第３電源処理のそれぞれを行わず、１次回路１１ｂが第１電源処理〜第３電源処理のそれぞれを行う。
【０１２１】
図１８は、第１実施形態の変形例４に係る電源システム１ｂが備える電源装置１０ｂ及び電子機器２０の構成の一例を示す図である。
１次回路１１ｂは、ダイオードブリッジＤＢと、コンデンサーＣ２と、トランジスターＴＲ４と、インダクタンスＩ１と、インダクタンスＩ３と、制御部１１０を備える。
【０１２２】
ダイオードブリッジＤＢは、プラグＰＧから供給される交流電流を全波整流する。
コンデンサーＣ２は、ダイオードブリッジＤＢから供給される電圧を平滑化する。当該電圧は、時間の経過とともに電圧値が変化する電圧である。すなわち、コンデンサーＣ２は、時間の経過に応じた当該電圧値の変化の幅が所定の幅未満となるように平滑化する。
【０１２３】
トランジスターＴＲ４は、入力制御回路１１４からベースに電流が供給された場合、Ｃ２電圧とＩ１インダクタンス値に応じた電流がコレクターからエミッターに流れるようにコレクターとエミッターとの間を通電させる。また、トランジスターＴＲ４は、入力制御回路１１４からベースに電流が供給されていない場合、電流がコレクターからエミッターに流れないようにコレクターとエミッターとの間を遮断する。
【０１２４】
インダクタンスＩ３は、例えば、コイルである。インダクタンスＩ３には、トランスＴ１を介して、電源装置１０ｂの出力電圧に比例した電圧が生じる。以下では、一例として、インダクタンスＩ３には、当該出力電圧と同じ電圧値の電圧が生じる場合について説明する。なお、インダクタンスＩ３は、コイルに代えて、電流の変化に応じた磁場を発生させる他の電子部品であってもよい。
【０１２５】
制御部１１０は、入力電流検出回路１１１と、第３判定回路１１２と、第３記憶部１１３と、入力制御回路１１４と、通電判定部１１５を備える。制御部１１０が備えるこれらの機能部は、ＬＳＩやＡＳＩＣ等によって実現される。なお、これらの機能部が実現する機能のうちのソフトウェアによって実現可能な機能の一部又は全部は、ＣＰＵが各種のプログラムを実行することによって実現される構成であってもよい。
【０１２６】
入力電流検出回路１１１は、インダクタンスＩ１に入力する電流であって、ダイオードブリッジＤＢ及びコンデンサーＣ２によって直流に変換された電流を計測する。具体的には、入力電流検出回路１１１は、ダイオードブリッジＤＢ及びコンデンサーＣ２とインダクタンスＩ１との間を流れる電流である入力電流を計測する。入力電流検出回路１１１によって計測された入力電流は、電子機器２０が消費した分の電流に比例した電流である。入力電流検出回路１１１は、電流計の一例である。入力電流検出回路１１１は、計測した入力電流を示す情報を第３判定回路１１２に出力する。
【０１２７】
第３判定回路１１２は、入力電流検出回路１１１が計測した入力電流を示す情報を入力電流検出回路１１１から取得する。第３判定回路１１２は、第３記憶部１１３に記憶された指示パターンテーブルを参照し、入力電流パターンと一致する参照指示パターンが指示パターンテーブルに含まれているか否かを判定する。入力電流パターンは、入力電流検出回路１１１から取得した入力電流の変化のパターンである。参照指示パターンと一致するか否かの判定における入力電流パターン、すなわち電子機器２０が備える内部回路２５によって消費された合流電流の変化のパターンは、電子機器２０から電源装置１０ｂへの第１指示の一例である。
【０１２８】
第３判定回路１１２は、入力電流パターンと一致する参照指示パターンが指示パターンテーブルに含まれていると判定した場合、入力電流パターンと一致する参照指示パターンに対応付けられた電圧値を示す情報を、指示判定結果を示す情報として入力制御回路１１４に出力する。なお、第３判定回路１１２は、入力電流パターンと一致する参照指示パターンが指示パターンテーブルに含まれていないと判定した場合、エラーを示す情報を、指示判定結果を示す情報として入力制御回路１１４に出力してもよく、他の処理を行ってもよく、何もしなくてもよい。以下では、一例として、当該場合に第３判定回路１１２が入力制御回路１１４に何もしない場合について説明する。
【０１２９】
また、第３判定回路１１２は、第３記憶部１１３に記憶された第２合格パターンテーブルを参照し、入力電流パターンと一致する参照第２合格パターンが第２合格パターンテーブルに含まれているか否かを判定する。参照第２合格パターンと一致するか否かの判定における入力電流パターン、すなわち、電子機器２０が備える内部回路２５によって使用された合流電流の変化のパターンは、電子機器２０から電源装置１０ｂへの第２指示の一例である。
【０１３０】
第３判定回路１１２は、入力電流パターンと一致する第２合格パターンが第２合格パターンテーブルに含まれていると判定した場合、入力電流パターンと一致する第２合格パターンに対応付けられた電流値を示す情報を、第２合格判定結果を示す情報として入力制御回路１１４に出力する。一方、第３判定回路１１２は、入力電流パターンと一致する第２合格パターンが第２合格パターンテーブルに含まれていないと判定した場合、エラーを示す情報を、第２合格判定結果を示す情報として入力制御回路１１４に出力する。
【０１３１】
第３記憶部１１３は、ＥＥＰＲＯＭ、ＲＯＭ、ＲＡＭ等を含む。第３記憶部１１３は、この一例において、指示パターンテーブルと、第２合格パターンテーブルを予め記憶している。
【０１３２】
入力制御回路１１４は、入力電流検出回路１１１側から供給される電力に基づいて、電力をインダクタンスＩ１に供給することにより、電力を電子機器２０に供給する。また、入力制御回路１１４は、第３判定回路１１２から第３判定回路１１２の判定結果を示す情報を取得する。入力制御回路１１４は、取得した当該情報が示す判定結果に基づいて、電源装置１０ｂの出力電圧を変更する（切り替える）。この際、入力制御回路１１４は、インダクタンスＩ３に生じた電圧を検出し、検出した電圧を出力電圧として当該判定結果に基づいて当該出力電圧を変更する。また、入力制御回路１１４は、取得した当該情報が示す判定結果に応じて、電子機器２０への電力供給を許可する又は禁止する。
【０１３３】
通電判定部１１５は、電源装置１０ｂが電子機器２０と通電したか否かを判定する。
【０１３４】
２次回路１２ｂは、インダクタンスＩ２と、整流器Ｄ１と、コンデンサーＣ１を備える。
【０１３５】
制御部１１０が行う第１電源処理における動作については、図７、１０のそれぞれに示したフローチャートの処理の説明において、出力電流検出回路１２２を入力電流検出回路１１１、第１判定回路１２３を第３判定回路１１２、第１記憶部１２４を第３記憶部１１３、出力制御回路１２１を入力制御回路１１４、通電判定部１２５を通電判定部１１５、出力電流を入力電流、とそれぞれ読み替えた動作と同様の動作であるため説明を省略する。
【０１３６】
また、制御部１１０が行う第２電源処理における動作については、図１１に示したフローチャートの処理の説明において、出力電流検出回路１２２を入力電流検出回路１１１、第１判定回路１２３を第３判定回路１１２、第１記憶部１２４を第３記憶部１１３、出力制御回路１２１を入力制御回路１１４、通電判定部１２５を通電判定部１１５、出力電流を入力電流、とそれぞれ読み替えた動作と同様の動作であるため説明を省略する。
【０１３７】
また、制御部１１０が行う第３電源処理における動作については、図１４に示したフローチャートの処理の説明において、出力電流検出回路１２２を入力電流検出回路１１１、第１判定回路１２３を第３判定回路１１２、第１記憶部１２４を第３記憶部１１３、出力制御回路１２１を入力制御回路１１４、通電判定部１２５を通電判定部１１５、出力電流を入力電流、とそれぞれ読み替えた動作と同様の動作であるため説明を省略する。
【０１３８】
このように、第１実施形態の変形例４に係る電源システム１ｂでは、２次回路１２ｂが第１電源処理〜第３電源処理のそれぞれを行わず、１次回路１１ｂが第１電源処理〜第３電源処理のそれぞれを行う。これにより、第１実施形態の変形例４に係る電源システム１ｂは、第１実施形態と同様の効果を得ることができる。また、第１実施形態の変形例４に係る電源装置１０ｂは、１次回路１１ｂが有する既存のＩＣを用いて電源装置１０ｂが備える制御部１１０の各機能を実現することができるため、２次回路１２ｂ側に制御部１１０の各機能を実現する場合と比べて、新たなＩＣを追加しなくてもよく、制御も簡単になるという点で優れている。
【０１３９】
＜第２実施形態＞
以下、図１９を参照し、本発明の第２実施形態について説明する。なお、第２実施形態では、第１実施形態と同様な構成部に対して同じ符号を付して説明を省略する。第２実施形態に係る電源システム１ｃは、電源装置１０ｃと、電子機器２０ｃを備える。電源装置１０ｃは、１次回路１１と、２次回路１２ｃを備える。電子機器２０ｃは、定電流源ＣＤ１と、定電流源ＣＤ２と、定電流源ＣＤ３と、トランジスターＴＲ１と、トランジスターＴＲ２と、トランジスターＴＲ３と、内部回路２５ｃを備える。
【０１４０】
電源システム１ｃでは、電源装置１０ｃが第２電源処理及び第３電源処理を行わずに第１電源処理を行い、電子機器２０ｃが第２機器処理及び第３機器処理を行わずに第１機器処理を行う。
【０１４１】
図１９は、第２実施形態に係る電源システム１ｃが備える電源装置１０ｃ及び電子機器２０ｃの構成の一例を示す図である。
２次回路１２ｃは、インダクタンスＩ２と、整流器Ｄ１と、コンデンサーＣ１と、フォトカプラーＰＣと、制御部１２０ｃを備える。
【０１４２】
制御部１２０ｃは、出力制御回路１２１ｃと、出力電流検出回路１２２と、第１判定回路１２３ｃと、第１記憶部１２４ｃと、通電判定部１２５を備える。制御部１２０ｃが備えるこれらの機能部は、ＬＳＩやＡＳＩＣ等によって実現される。なお、これらの機能部が実現する機能のうちのソフトウェアによって実現可能な機能の一部又は全部は、ＣＰＵが各種のプログラムを実行することによって実現される構成であってもよい。
【０１４３】
出力制御回路１２１ｃは、インダクタンスＩ２から供給される電力に基づいて、電力を電子機器２０ｃに供給する。また、出力制御回路１２１ｃは、第１判定回路１２３ｃから第１判定回路１２３ｃの指示判定結果を示す情報を取得する。出力制御回路１２１ｃは、取得した当該情報が示す指示判定結果に基づいて、出力電圧を変更する（切り替える）。
【０１４４】
第１判定回路１２３ｃは、出力電流検出回路１２２が計測した出力電流を示す情報を出力電流検出回路１２２から取得する。第１判定回路１２３ｃは、第１記憶部１２４ｃに記憶された指示パターンテーブルを参照し、出力電流パターンと一致する参照指示パターンが指示パターンテーブルに含まれているか否かを判定する。第１判定回路１２３ｃは、出力電流パターンと一致する参照指示パターンが指示パターンテーブルに含まれていると判定した場合、出力電流パターンと一致する参照指示パターンに対応付けられた電圧値を示す情報を、指示判定結果を示す情報として出力制御回路１２１ｃに出力する。なお、第１判定回路１２３ｃは、出力電流パターンと一致する参照指示パターンが指示パターンテーブルに含まれていないと判定した場合、エラーを示す情報を、指示判定結果を示す情報として出力制御回路１２１ｃに出力してもよく、他の処理を行ってもよく、何もしなくてもよい。以下では、一例として、当該場合に第１判定回路１２３ｃが出力制御回路１２１ｃに何もしない場合について説明する。
【０１４５】
第１記憶部１２４ｃは、ＥＥＰＲＯＭ、ＲＯＭ、ＲＡＭ等を含む。第１記憶部１２４ｃは、この一例において、指示パターンテーブルを予め記憶している。
【０１４６】
内部回路２５ｃは、電子機器２０ｃの動作を制御する回路である。内部回路２５ｃは、電子機器２０ｃのモードを切り替える。電子機器２０ｃのモードは、電子機器２０ｃの動作モードのことである。当該モードには、通常動作モードと省電力モードが含まれる。電子機器２０ｃの通常動作モードは、例えば、電源装置１０ｃの出力電圧が４２ボルトの場合に動作するモードのことである。電子機器２０ｃのモードが通常動作モードの場合、ユーザーは、電子機器２０ｃが有するすべての機能を利用することができる。電子機器２０ｃの省電力モードは、例えば、電源装置１０ｃの出力電圧が１２ボルトの場合に動作するモードのことである。電子機器２０ｃのモードが省電力モードの場合、ユーザーは、電子機器２０ｃが有する一部の機能を利用することができる。
【０１４７】
内部回路２５ｃは、電子機器２０ｃのモードが通常動作モードである場合、無操作状態が継続している時間を図示しない計時部によって計時する。内部回路２５ｃは、無操作状態が継続している時間が所定時間以上であると判定した場合、トランジスターＴＲ１〜トランジスターＴＲ３のそれぞれのベースに、各コレクター・エミッター間を通電させる電流として、所定の第１条件を満たすようにモード切替信号を出力する。
【０１４８】
また、内部回路２５ｃは、電子機器２０ｃのモードが省電力モードである場合、ユーザーから操作を受け付けるまで待機する。内部回路２５ｃは、ユーザーからの操作を受け付けた場合、トランジスターＴＲ１〜トランジスターＴＲ３のそれぞれに、各コレクター・エミッター間を通電させる電流として、所定の第２条件を満たすようにモード切替信号を出力する。
【０１４９】
なお、内部回路２５ｃは、３つ以上のモードのそれぞれを、所定の条件に応じて切り替えるモード切替信号をトランジスターＴＲ１〜トランジスターＴＲ３のそれぞれに出力する構成であってもよい。この場合、各モードの一部又は全部には、互いに異なる出力電圧が対応付けられてもよく、互いに同じ出力電圧が対応付けられてもよい。
【０１５０】
ここで、電源装置１０ｃが行う第１電源処理は、図７、１０のそれぞれに示したフローチャートの処理と同様の処理であるため説明を省略する。また、電子機器２０ｃが行う第１機器処理は、図６、９のそれぞれに示したフローチャートの処理と同様の処理であるため説明を省略する。
【０１５１】
このように、第２実施形態に係る電源システム１ｃでは、電源装置１０ｃが第２電源処理及び第３電源処理を行わずに第１電源処理を行い、電子機器２０ｃが第２機器処理及び第３機器処理を行わずに第１機器処理を行う。これにより、電源装置１０ｃと電子機器２０ｃは、接続相手との接続における通信線を増やさずにモードの切り替えを行うことができる。
【０１５２】
＜第３実施形態＞
以下、図２０を参照し、本発明の第３実施形態について説明する。なお、第３実施形態では、第１実施形態と同様な構成部に対して同じ符号を付して説明を省略する。第３実施形態に係る電源システム１ｄは、電源装置１０ｄと、電子機器２０ｄを備える。電源装置１０ｄは、１次回路１１と、２次回路１２ｄを備える。電子機器２０ｄは、入力制御回路２１と、入力電圧検出回路２２と、第２判定回路２３と、第２記憶部２４と、内部回路２５を備える。
【０１５３】
電源システム１ｄでは、電源装置１０ｄが第１電源処理及び第３電源処理を行わずに第２電源処理を行い、電子機器２０ｄが第１機器処理及び第３機器処理を行わずに第２機器処理を行う。
【０１５４】
図２０は、第３実施形態に係る電源システム１ｄが備える電源装置１０ｄ及び電子機器２０ｄの構成の一例を示す図である。
２次回路１２ｄは、インダクタンスＩ２と、整流器Ｄ１と、コンデンサーＣ１と、フォトカプラーＰＣと、制御部１２０ｄを備える。
【０１５５】
制御部１２０ｄは、出力制御回路１２１ｄと、通電判定部１２５を備える。制御部１２０ｄが備えるこれらの機能部は、ＬＳＩやＡＳＩＣ等によって実現される。なお、これらの機能部が実現する機能のうちのソフトウェアによって実現可能な機能の一部又は全部は、ＣＰＵが各種のプログラムを実行することによって実現される構成であってもよい。
【０１５６】
出力制御回路１２１ｄは、インダクタンスＩ２から供給される電力に基づいて、電力を電子機器２０ｄに供給する。
【０１５７】
ここで、電源装置１０ｄが行う第２電源処理は、図１１に示したフローチャートの処理と同様の処理であるため説明を省略する。また、電子機器２０ｄが行う第２機器処理は、図１２に示したフローチャートの処理と同様の処理であるため説明を省略する。
【０１５８】
このように、第３実施形態に係る電源システム１ｄでは、電源装置１０ｄが第１電源処理及び第３電源処理を行わずに第２電源処理を行い、電子機器２０ｄが第１機器処理及び第３機器処理を行わずに第２機器処理を行う。これにより、電源装置１０ｄと電子機器２０ｄは、意図していない接続相手との誤接続によって不具合が発生してしまうことを抑制することができる。
【０１５９】
＜第４実施形態＞
以下、図２１を参照し、本発明の第４実施形態について説明する。なお、第４実施形態では、第１実施形態と同様な構成部に対して同じ符号を付して説明を省略する。第４実施形態に係る電源システム１ｅは、電源装置１０ｅと、電子機器２０ｅを備える。電源装置１０ｅは、１次回路１１と、２次回路１２ｅを備える。電子機器２０ｅは、定電流源ＣＤ１と、定電流源ＣＤ２と、定電流源ＣＤ３と、トランジスターＴＲ１と、トランジスターＴＲ２と、トランジスターＴＲ３と、内部回路２５ｅを備える。
【０１６０】
電源システム１ｅでは、電源装置１０ｅが第１電源処理及び第２電源処理を行わずに第３電源処理を行い、電子機器２０ｅが第１機器処理及び第２機器処理を行わずに第３機器処理を行う。
【０１６１】
図２１は、第４実施形態に係る電源システム１ｅが備える電源装置１０ｅ及び電子機器２０ｅの構成の一例を示す図である。
２次回路１２ｅは、インダクタンスＩ２と、整流器Ｄ１と、コンデンサーＣ１と、フォトカプラーＰＣと、制御部１２０ｅを備える。
【０１６２】
制御部１２０ｅは、出力制御回路１２１ｅと、出力電流検出回路１２２と、第１判定回路１２３ｅと、第１記憶部１２４ｅと、通電判定部１２５を備える。制御部１２０ｅが備えるこれらの機能部は、ＬＳＩやＡＳＩＣ等によって実現される。なお、これらの機能部が実現する機能のうちのソフトウェアによって実現可能な機能の一部又は全部は、ＣＰＵが各種のプログラムを実行することによって実現される構成であってもよい。
【０１６３】
出力制御回路１２１ｅは、インダクタンスＩ２から供給される電力に基づいて、電力を電子機器２０ｅに供給する。また、出力制御回路１２１ｅは、第１判定回路１２３ｅから第１判定回路１２３ｅの第２合格判定結果を示す情報を取得する。出力制御回路１２１ｅは、取得した当該情報が示す第２合格判定結果に基づいて、電子機器２０ｅへの電力供給を許可する又は禁止する。
【０１６４】
第１判定回路１２３ｅは、出力電流検出回路１２２ｅが計測した出力電流を示す情報を出力電流検出回路１２２ｅから取得する。第１判定回路１２３ｅは、第１記憶部１２４ｅに記憶された第２合格パターンテーブルを参照し、出力電流パターンと一致する参照第２合格パターンが第２合格パターンテーブルに含まれているか否かを判定する。第１判定回路１２３ｅは、出力電流パターンと一致する参照第２合格パターンが第２合格パターンテーブルに含まれていると判定した場合、出力電流パターンと一致する参照第２合格パターンに対応付けられた電流値を示す情報を、第２合格判定結果を示す情報として出力制御回路１２１ｅに出力する。なお、第１判定回路１２３ｅは、出力電流パターンと一致する参照第２合格パターンが第２合格パターンテーブルに含まれていないと判定した場合、エラーを示す情報を、第２合格判定結果を示す情報として出力制御回路１２１ｅに出力してもよく、他の処理を行ってもよく、何もしなくてもよい。以下では、一例として、当該場合に第１判定回路１２３ｅが出力制御回路１２１ｅに何もしない場合について説明する。
【０１６５】
第１記憶部１２４ｅは、ＥＥＰＲＯＭ、ＲＯＭ、ＲＡＭ等を含む。第１記憶部１２４ｅは、この一例において、第２合格パターンテーブルを予め記憶している。
【０１６６】
内部回路２５ｅは、電子機器２０ｅの動作を制御する回路である。内部回路２５ｅは、トランジスターＴＲ１〜トランジスターＴＲ３のそれぞれのベースに、所定の第３条件を満たすようにモード切替信号を出力する。
【０１６７】
電源装置１０ｅが行う第３電源処理は、図１４に示したフローチャートの処理と同様の処理であるため説明を省略する。
また、電子機器２０ｅが行う第３機器処理は、図１３に示したフローチャートの処理と同様の処理であるため説明を省略する。
【０１６８】
このように、第４実施形態に係る電源システム１ｅでは、電源装置１０ｅが第１電源処理及び第２電源処理を行わずに第３電源処理を行い、電子機器２０ｅが第１機器処理及び第２機器処理を行わずに第３機器処理を行う。これにより、電源装置１０ｅと電子機器２０ｅは、意図していない接続相手との誤接続によって不具合が発生してしまうことを抑制することができる。
【０１６９】
なお、電源システム１の構成は、第１実施形態〜第４実施形態の一部を組み合わせた構成であってもよい。
【０１７０】
また、第１判定回路１２３と第２判定回路２３のうちいずれか一方又は両方が行う判定であってパターン同士が一致するか否かの判定は、デジタル信号によって行ってもよく、アナログ信号によって行ってもよい。
また、電流を変化させるための構成としては、３つの定電流源ＣＤ１からＣＤ３や３つのトランジスターＴＲ１からＴＲ３を使うものに限られない。数を１以上の任意の数の定電流源とトランジスターを用いてもよいし、モーター駆動回路によるモーター駆動電流の増減変化によって電流を変化させる構成であってもよい。
【０１７１】
以上説明したように、上記において説明した各電源装置（電源装置１０、１０ａ、１０ｂ、１０ｃのそれぞれ）は、各電子機器（電子機器２０、２０ａ、２０ｂ、２０ｃのそれぞれ）に電力を供給し、供給する電流（この一例において、出力電流）を計測し、第１電圧（この一例において、４２ボルト）により電力供給を行う第１モード（この一例において、通常動作モード）と、第１電圧よりも低い第２電圧（この一例において、１２ボルト）で電力供給を行う第２モード（この一例において、省電力モード）と、を含むモードの切り替えを計測した電流の変化に基づいて行う。これにより、当該電源装置は、より適切に接続相手と連携できる。
【０１７２】
また、当該電子機器は、第１電圧により電力供給を行う第１モードと、第１電圧よりも低い第２電圧により電力供給を行う第２モードと、を含む複数モードによる当該電源装置からの電力供給を受けて動作し、消費する電流の変化のパターンによって、当該電源装置のモードを切り替えさせる指示（この一例において、第１指示）を当該電源装置に対して行う。これにより、当該電子機器は、より適切に接続相手と連携できる。
【０１７３】
また、上記において説明した各電子機器（電子機器２０、２０ａ、２０ｂ、２０ｄのそれぞれ）は、各電源装置（電源装置１０、１０ａ、１０ｂ、１０ｄのそれぞれ）からの電力供給を受けて動作し、当該電源装置からの電圧（この一例において、入力電圧）を計測し、当該電源装置から定期的（この一例において、所定期間において所定時間が経過する毎）に行われる電圧の変化のパターンが合格パターン（この一例において、第２合格パターン）であると判断した場合に当該電源装置からの電力供給を許可し、当該電圧が合格パターンの変化をしていないと判断した場合に当該電源装置からの電力の利用を制限する。これにより、当該電子機器は、意図していない接続相手との誤接続によって不具合が発生してしまうことを抑制することができる。
【０１７４】
また、当該電子機器は、当該電源装置からの電圧を計測し、当該電源装置から定期的に行われる電圧の変化のパターンが、最初に低い電圧から段階的に電圧を上昇させる第１要素を備える合格パターンであると判断した場合に当該電源装置からの電力供給を許可し、当該電圧の変化のパターンが当該合格パターンではないと判断した場合に当該電源装置からの電力の利用を制限する。これにより、当該電子機器は、最初に低い電圧から段階的に電圧を上昇させる第１要素を備える合格パターンに基づいて、意図していない接続相手との誤接続によって不具合が発生してしまうことを抑制することができる。
【０１７５】
また、当該電子機器は、当該電源装置からの電圧を一定にする安定化回路を電圧計の下流側に備える。これにより、当該電子機器は、接続相手からの電力供給に基づいて定電圧による電流の使用を行うことができる。
【０１７６】
また、当該電源装置は、当該電子機器に電力を供給し、供給する電力を合格パターンの電圧変化で供給する認証供給と、認証供給の後で行う通常供給とを交互に繰り返して電力供給を行う。これにより、当該電源装置は、意図していない接続相手との誤接続によって不具合が発生してしまうことを抑制することができる。
【０１７７】
また、当該電源装置は、当該電子機器に電力を供給し、供給する電力を合格パターンの電圧変化で供給する認証供給と、認証供給の後で行う通常供給であって定電圧での電力供給である通常供給とを交互に繰り返して電力供給を行う。これにより、当該電源装置は、意図した接続相手に対して定電圧での電力供給を行うことができる。
【０１７８】
また、上記において説明した各電源装置（電源装置１０、１０ａ、１０ｂ、１０ｅのそれぞれ）は、各電子機器（電子機器２０、２０ａ、２０ｂ、２０ｅのそれぞれ）に電力を供給し、供給する電流（この一例において、出力電流）を計測し、電流の変化のパターンが合格パターン（この一例において、第２合格パターン）であると判断した場合に当該電子機器に対する電力供給を許可し、当該電流の変化のパターンが合格パターンではないと判断した場合に当該電子機器に対する電力供給を禁止する。これにより、当該電源装置は、より適切に接続相手と連携することができる。
【０１７９】
また、当該電源装置は、電力供給が許可されるまでは、電力供給が許可された後の電圧（この一例において、４２ボルト）よりも低い電圧（この一例において、１２ボルト）によって電力供給を行う。これにより、当該電源装置は、意図していない接続相手に対する過大な電力供給を抑制することを抑制することができる。
【０１８０】
また、当該電子機器は、当該電源装置から電力供給を受けて動作し、消費する電流（この一例において、合流電流）の変化によって当該電源装置に対して指示（この一例において、第１指示）を行う。これにより、当該電子機器は、より適切に接続相手と連携することができる。
【０１８１】
また、当該電子機器は、消費する電流の変化のパターンによって、自装置への電力供給を開始させる又は停止させる指示を当該電源装置に対して行う。これにより、当該電子機器は、消費する電流の変化のパターンによって、より適切に接続相手と連携することができる。
【０１８２】
以上、この発明の実施形態を、図面を参照して詳述してきたが、具体的な構成はこの実施形態に限られるものではなく、この発明の要旨を逸脱しない限り、変更、置換、削除等されてもよい。
【０１８３】
また、以上に説明した装置（例えば、電源装置１０、１０ａ、１０ｂ、１０ｃ、１０ｄ、１０ｅ、電子機器２０、２０ａ、２０ｂ、２０ｃ、２０ｄ、２０ｅ）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１８４】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１８５】
１、１ａ、１ｂ、１ｃ、１ｄ、１ｅ…電源システム、１０、１０ａ、１０ｂ、１０ｃ、１０ｄ、１０ｅ…電源装置、１１、１１ｂ…１次回路、１２、１２ａ、１２ｂ、１２ｃ、１２ｄ、１２ｅ…２次回路、２０、２０ａ、２０ｂ、２０ｃ、２０ｄ、２０ｅ…電子機器、２１…入力制御回路、２２…入力電圧検出回路、２３、２３ａ…第２判定回路、２４…第２記憶部、２５、２５ｃ、２５ｅ…内部回路、１１０、１２０、１２０ａ、１２０ｃ、１２０ｄ、１２０ｅ…制御部、１１１…入力電流検出回路、１１２…第３判定回路、１１３…第３記憶部、１１４…入力制御回路、１１５、１２５…通電判定部、１２１、１２１ｃ、１２１ｄ、１２１ｅ…出力制御回路、１２２…出力電流検出回路、１２３、１２３ｃ、１２３ｅ…第１判定回路、１２４、１２４ｃ、１２４ｅ…第１記憶部、１２６…出力電圧遮断回路
【図１】
0006686525.tif 000002
【図２】
0006686525.tif 000003
【図３】
0006686525.tif 000004
【図４】
0006686525.tif 000005
【図５】
0006686525.tif 000006
【図６】
0006686525.tif 000007
【図７】
0006686525.tif 000008
【図８】
0006686525.tif 000009
【図９】
0006686525.tif 000010
【図１０】
0006686525.tif 000011
【図１１】
0006686525.tif 000012
【図１２】
0006686525.tif 000013
【図１３】
0006686525.tif 000014
【図１４】
0006686525.tif 000015
【図１５】
0006686525.tif 000016
【図１６】
0006686525.tif 000017
【図１７】
0006686525.tif 000018
【図１８】
0006686525.tif 000019
【図１９】
0006686525.tif 000020
【図２０】
0006686525.tif 000021
【図２１】
0006686525.tif 000022